(57)【要約】【課題】臥位撮影台の天板に対する放射線検出器の位置が確認できるようにする。【解決手段】臥位撮影台１２の天板１６の上にカセッテ位置検出・表示シート３５を載置する。天板１６の下に配置されたカセッテ１３には、それぞれ異なる周波数の電磁波を発振する第１発振器３３及び第２発振器３４を取り付ける。カセッテ位置検出・表示シート３５によって第１発振器３３及び第２発振器３４の位置を検出し、この検出結果に基づいてカセッテ１３のサイズ及び姿勢を特定し、天板１６に対するカセッテ１３の放射線検出範囲の位置を算出する。放射線検出範囲に対面するＬＥＤ４５を発光させ、天板１６に対する放射線検出範囲の位置を表示する。【選択図】図４
2011067335.tif 000002
【特許請求の範囲】
【請求項１】
臥位撮影台の天板の上または下に配置された放射線検出器の前記天板に対する位置を検出する位置検出手段と、
前記天板上に前記放射線検出器の位置を表示する位置表示手段とを備えたことを特徴とする放射線検出器の位置表示装置。
【請求項２】
前記位置検出手段は、前記天板に対する前記放射線検出器の放射線検出範囲の位置を検出し、前記位置表示手段は、前記天板に対する前記放射線検出範囲の位置を表示することを特徴とする請求項１記載の放射線検出器の位置表示装置。
【請求項３】
前記位置表示手段は、前記天板上の撮影範囲外で、前記天板の長辺及び短辺に沿って複数の発光部を配列した第１発光部列及び第２発光部列と、
前記位置検出手段の検出結果に基づいて、前記長辺方向及び前記短辺方向で前記放射線検出範囲に対面する前記発光部を点灯させ、または発光状態を変化させる発光制御部とからなることを特徴とする請求項２記載の放射線検出器の位置表示装置。
【請求項４】
前記位置検出手段または前記位置表示手段は、前記天板に着脱自在に装着されることを特徴とする請求項３記載の放射線検出器の位置表示装置。
【請求項５】
前記位置検出手段は、前記天板に対する前記放射線検出器の複数の所定部位の位置を検出する所定部位検出部と、
前記所定部位検出部の検出結果に基づいて、前記天板に対する前記放射線検出範囲の位置を算出する検出範囲算出部とからなることを特徴とする請求項４記載の放射線検出器の位置表示装置。
【請求項６】
前記検出範囲算出部は、前記所定部位検出部の検出結果に基づいて、前記放射線検出器のサイズと、前記天板に対する前記放射線検出器の姿勢とを特定し、これらの特定結果を前記放射線検出範囲の位置に反映させることを特徴とする請求項５記載の放射線検出器の位置表示装置。
【請求項７】
前記所定部位検出部は、前記放射線検出手段に取り付けられて異なる周波数の電磁波を発振する複数の発振器と、
前記天板の上に載置されるシート状の支持体と、前記天板の長辺及び短辺に沿って配列するように前記支持体に設けられた複数のコイルとを有し、前記電磁波により前記コイルに生じた起電力の強度分布に基づいて前記天板に対する前記各発振器の位置を検出する位置検出シートとからなることを特徴とする請求項５または６記載の放射線検出器の位置表示装置。
【請求項８】
前記支持体に、前記第１発光部列及び第２発光部列を設けたことを特徴とする請求項７記載の放射線検出器の位置表示装置。
【請求項９】
前記位置検出手段は、前記臥位撮影台の撮影台本体に対する前記天板の位置を検出する天板位置検出部と、
前記撮影台本体に対する前記放射線検出器の位置を検出する検出器位置検出部と、
前記天板位置検出部及び前記検出器位置検出部の検出結果に基づいて、前記天板に対する前記放射線検出範囲の位置を算出する検出範囲算出部とからなることを特徴とする請求項３記載の放射線検出器の位置表示装置。
【請求項１０】
前記放射線検出器のサイズを検出するサイズ検出手段を備え、前記検出範囲算出部は、前記サイズ検出手段の検出結果を前記放射線検出範囲の位置に反映させることを特徴とする請求項９記載の放射線検出器の位置表示装置。
【請求項１１】
前記天板に対する前記放射線検出器の姿勢を検出する姿勢検出手段を備え、前記検出範囲算出部は、前記姿勢検出手段の検出結果を前記放射線検出範囲の位置に反映させることを特徴とする請求項１０記載の放射線検出器の位置表示装置。
【請求項１２】
前記サイズ検出手段及び前記姿勢検出手段は、前記臥位撮影台において前記放射線検出器の直交する２辺にそれぞれ当接し、前記放射線検出器のサイズまたは姿勢に応じて移動する２つのホルダの位置を検出することを特徴とする請求項１１記載の放射線検出器の位置表示装置。
【請求項１３】
撮影台本体の前後左右に移動自在な天板と、
前記撮影台本体に対して移動自在な検出器保持手段と、
請求項９〜１２いずれか記載の放射線検出器の位置表示装置とを備えたことを特徴とする臥位撮影台。
【請求項１４】
臥位撮影台と、
前記臥位撮影台の天板の上または下に配置される放射線検出器と、
前記放射線検出器に放射線を曝射する放射線発生器と、
請求項４〜８いずれか記載の放射線検出器の位置表示装置とを備えたことを特徴とする放射線画像撮影システム。
【請求項１５】
請求項１３記載の臥位撮影台と、
前記臥位撮影台に保持される放射線検出器と、
前記放射線検出器に放射線を曝射する放射線発生器とを備えたことを特徴とする放射線画像撮影システム。
【発明の詳細な説明】
【技術分野】
【０００１】
本発明は、撮影台の天板に対する放射線検出器の位置を表示する放射線検出器の位置表示装置と、放射線検出器の位置表示装置を備えた放射線画像撮影装置、及び放射線画像撮影システムに関する。
【背景技術】
【０００２】
被検者に向けて放射線を曝射する放射線発生器と、被検者を透過した放射線を検出する放射線検出器とを備えた放射線画像撮影システムが知られている。放射線画像撮影システムでは、被検者を横たわらせた状態で撮影する際に臥位撮影台を使用する。臥位撮影台は、被検者が横たわるための天板と、天板の下に設けられた撮影部とを備えている。撮影部には、放射線が被検者を透過する際に発生する散乱線を除去するグリッドと、カセッテとが保持される。
【０００３】
カセッテは、ＪＩＳ規格によって規定された外形形状を有する遮光ケースであり、Ｘ線フイルムやイメージングプレート（ＩＰ）を収容し、放射線検出器として用いられる。また、外形をカセッテと同形状にして、フイルム用またはＩＰ用の既存の撮影台にセットできるようにしたカセッテ型のフラットパネルディテクタ（ＦＰＤ）も開発されている（例えば、特許文献１、２参照）。周知のように、ＦＰＤは、放射線を検出して信号電荷に変換し、この信号電荷からデジタルの放射線画像を生成する。
【０００４】
臥位撮影では、天板の上方に配置された放射線発生器によって被検者に放射線が曝射され、被検者を透過した放射線は、カセッテ内に収容した放射線検出器によって検出される。また、被検者の四肢や肘等の散乱線の発生が少ない撮影では、グリッドが不要となるため、天板の上にカセッテを載置して撮影することもある。
【先行技術文献】
【特許文献】
【０００５】
【特許文献１】特開２００４−１４４８３０号公報
【特許文献２】特開２００５−２０４８５７号公報
【発明の概要】
【発明が解決しようとする課題】
【０００６】
臥位撮影台は、天板の上からカセッテの位置が確認できないため、被検者の撮影部位とカセッテとの位置、カセッテと放射線発生器との位置が合わせにくいという問題がある。また、天板の上にカセッテを載置して撮影する際には、体格の大きな被検者によってカセッテが隠れてしまうことがあり、カセッテが天板の下にある場合と同様の問題が発生する。
【０００７】
上記問題を解決するため、透明なアクリルで形成した天板が知られている。しかし、アクリルは、天板の一般的な材質であるカーボンに比べて放射線の減衰率が高く、この減衰分だけ放射線量を多くしなければならないため、被検者の負担が大きくなる。また、臥位撮影台には、天板が前後左右に移動可能なフローティング機構と、天板の長手方向にカセッテを移動させるスライド機構とを備えたものがあり、このような撮影台では天板とカセッテとの位置が一定ではないため、天板にカセッテ位置を記すこともできない。更に、臥位撮影台では、被検者の快適性を確保するため天板にマットを敷く場合が多く、マットによって天板のほとんどが隠れてしまう。
【０００８】
特許文献１、２記載の発明のように、カセッテ型ＦＰＤの位置を検出することも考えられる。しかし、これらの発明は、カセッテ型ＦＰＤの検出位置に合わせて放射線発生器を移動させることを目的としており、放射線発生器の自動位置決め機能を有しないフイルム用またはＩＰ用の臥位撮影台には適用できない。また、特許文献２のように、カセッテ型ＦＰＤに放射線の照射野を示すＬＥＤ列を設けても、カセッテ型ＦＰＤが天板の下もしくは被検者の下にあるときにＬＥＤ列は視認できない。
【０００９】
本発明の目的は、臥位撮影台の天板に対する放射線検出器の位置が確認できるようにすることにある。
【課題を解決するための手段】
【００１０】
本発明の放射線検出器の位置表示装置は、臥位撮影台の天板の上または下に配置された放射線検出器の天板に対する位置を検出する位置検出手段と、天板上に放射線検出器の位置を表示する位置表示手段とを備えている。
【００１１】
位置検出手段は、天板に対する放射線検出器の放射線検出範囲の位置を検出し、位置表示手段は、天板に対する放射線検出範囲の位置を表示することが好ましい。
【００１２】
位置表示手段には、天板上の撮影範囲外で、天板の長辺及び短辺に沿って複数の発光部を配列した第１発光部列及び第２発光部列と、位置検出手段の検出結果に基づいて、長辺方向及び短辺方向で放射線検出範囲に対面する発光部を点灯させ、または発光状態を変化させる発光制御部を用いることが好ましい。
【００１３】
また、位置検出手段または位置表示手段は、天板に着脱自在に装着されることが好ましい。
【００１４】
位置検出手段は、天板に対する前記放射線検出器の複数の所定部位の位置を検出する所定部位検出部と、所定部位検出部の検出結果に基づいて、天板に対する放射線検出範囲の位置を算出する検出範囲算出部とから構成してもよい。
【００１５】
検出範囲算出部は、所定部位検出部の検出結果に基づいて、放射線検出器のサイズと、天板に対する放射線検出器の姿勢とを特定し、これらの特定結果を放射線検出範囲の位置に反映させることが好ましい。
【００１６】
所定部位検出部は、放射線検出手段に取り付けられて異なる周波数の電磁波を発振する複数の発振器と、位置検出シートとを用いることができる。位置検出シートは、天板の上に載置されるシート状の支持体と、天板の長辺及び短辺に沿って配列するように支持体に設けられた複数のコイルとを有し、電磁波によりコイルに生じた起電力の強度分布に基づいて天板に対する各発振器の位置を検出する。また、支持体に第１発光部列及び第２発光部列を設けてもよい。
【００１７】
位置検出手段は、臥位撮影台の撮影台本体に対する天板の位置を検出する天板位置検出部と、撮影台本体に対する放射線検出器の位置を検出する検出器位置検出部と、天板位置検出部及び検出器位置検出部の検出結果に基づいて、天板に対する放射線検出範囲の位置を算出する検出範囲算出部とから構成してもよい。
【００１８】
放射線検出器のサイズを検出するサイズ検出手段を備え、検出範囲算出部により算出される放射線検出範囲の位置に、サイズ検出手段の検出結果を反映させてもよい。
【００１９】
また、天板に対する放射線検出器の姿勢を検出する姿勢検出手段を備え、検出範囲算出部により算出される放射線検出範囲の位置に、姿勢検出手段の検出結果を反映させてもよい。
【００２０】
サイズ検出手段及び姿勢検出手段は、臥位撮影台において放射線検出器の直交する２辺にそれぞれ当接し、放射線検出器のサイズまたは姿勢に応じて移動する２つのホルダの位置を検出するのが好ましい。
【００２１】
本発明の臥位撮影台は、撮影台本体の前後左右に移動自在な天板と、撮影台本体に対して移動自在な検出器保持手段と、請求項９〜１２いずれか記載の放射線検出器の位置表示装置とを備えている。
【００２２】
本発明の放射線画像撮影システムは、臥位撮影台と、臥位撮影台の天板の上または下に配置される放射線検出器と、放射線検出器に放射線を曝射する放射線発生器と、請求項４〜８いずれか記載の放射線検出器の位置検出装置とを備えている。
【００２３】
本発明の別の放射線画像撮影システムは、請求項１３記載の臥位撮影台と、臥位撮影台に保持される放射線検出器と、放射線検出器に放射線を曝射する放射線発生器とを備えている。
【発明の効果】
【００２４】
本発明によれば、臥位撮影台の天板上に放射線検出器の位置が表示されるので、放射線検出器と被検者、放射線検出器と放射線発生器との位置合わせが容易になる。また、放射線検出範囲を表示するので、被検者の撮影部位を適切に放射線検出範囲内に収めることができる。これにより、撮影ミスによる再撮影が少なくなるので、被検者の被爆量を少なくすることができる。放射線検出範囲の表示は、本発明の表示装置を組み込んだ臥位撮影台だけでなく、従来から普及している既存の臥位撮影台でも行うことができる。
【図面の簡単な説明】
【００２５】
【図１】従来の放射線画像撮影システムの構成を示す斜視図である。
【図２】カセッテ型ＦＰＤの平面図である。
【図３】位置表示装置の構成を示す斜視図である。
【図４】臥位撮影台に位置表示装置を装着した状態を示す斜視図である。
【図５】位置表示装置の電気的構成を示すブロック図である。
【図６】縦方向にセットしたカセッテの位置表示を示す平面図である。
【図７】横方向にセットしたカセッテの位置表示を示す平面図である。
【図８】天板上に斜めに置いたカセッテの位置表示を示す平面図である。
【図９】本発明の臥位撮影台を用いた放射線画像撮影システムの斜視図である。
【図１０】本発明の臥位撮影台の電気的構成を示すブロック図である。
【図１１】サイズ・姿勢検出器を示す平面図である。
【発明を実施するための形態】
【００２６】
［第１実施形態］
以下では、従来のフイルム用またはＩＰ用の放射線画像撮影システムについて説明し、次いで、この放射線画像撮影システムに使用可能な本発明の放射線検出器の位置表示装置（以下、位置表示装置と呼ぶ）について説明する。図１に示すように、放射線画像撮影システム１０は、放射線発生器１１と、臥位撮影台１２と、カセッテ１３とから構成されている。
【００２７】
放射線画像撮影システム１０による撮影は、臥位撮影台１２に載せられている被検者（図示を省略）に向けて放射線発生器１１により上方からＸ線を照射し、そのＸ線が被検者を透過して得られるＸ線像をカセッテ１３で検出する。また、四肢や肘等の散乱線が少ない撮影では、臥位撮影台１２の上にカセッテ１３を載置して撮影することもある。
【００２８】
放射線発生器１１は、Ｘ線を発するＸ線管１１ａと、Ｘ線の照射範囲を限定するコリメータ１１ｂと、これらを操作する操作部１１ｃとからなる。放射線発生器１１は、例えば放射線撮影室の天井に移動かつ伸縮自在に設置された支柱１１ｄに保持され、臥位撮影台１２の上方に配置されている。また、放射線撮影室外には、放射線発生器１１の各種設定操作や、曝射操作をコンソール装置（図示せず）が設けられている。
【００２９】
臥位撮影台１２は、天板１６と、天板１６の下に設けられた撮影台本体１７とからなる。天板１６は、被検者が横たわることができる長さ及び幅を有する長方形状であり、上面が水平になるように撮影台本体１７の上に配置されている。天板１６は、Ｘ線の透過率が高いカーボン等で形成されている。
【００３０】
撮影台本体１７は、天板支持部２０と、撮影部２１と、昇降部２２とを備えている。天板支持部２０は、天板１６をＸＹ方向において移動できるように支持するフローティング機構（図示せず）を備えている。フローティング機構には、操作者が手動で天板を移動させる手動式と、電動機構などで自動的に移動させる自動式とがあるが、本実施形態では電動機構による自動式としている。また、操作者が臥位撮影台１２で撮影操作を行う際に位置する、臥位撮影台１２の前面側には、天板支持部２０を操作する操作パネル２３が設けられている。
【００３１】
撮影部２１は、天板１６の下方、かつ天板支持部２０の間に設けられている。撮影部２１は、前面に設けられた把手２１ａを前面側に引くことにより、天板１６の下から引き出せるようになっている。撮影部２１内には、カセッテ１３と、図示しないグリッドとがセットされるトレー（図示せず）と、このトレーをＸ方向に移動させるスライド機構（図示せず）とが設けられている。スライド機構にも上述したフローティング機構と同様に手動式と自動式とがあるが、本実施形態では自動式としている。スライド機構の操作にも操作パネル２３が用いられる。
【００３２】
トレーは、長方形状のカセッテ１３の長辺方向が天板１６の長辺方向に直交する縦方向、またはカセッテ１３の長辺方向が天板１６の長辺方向に沿う横方向のいずれの方向でもセットできるようになっている。
【００３３】
昇降部２２は、天板１６と、天板支持部２０及び撮影部２１を昇降させる電動式の昇降機構（図示せず）と、昇降機構の周囲を覆う伸縮自在なベローズ型カバー２２ａとを備えている。この昇降動機構も操作パネル２３によって操作される。
【００３４】
図２に示すように、本実施形態で用いられるカセッテ１３は、カセッテ型ＦＰＤである。カセッテ１３は、例えば、半切サイズ（３８３．５ｍｍ×４５９．５ｍｍ）のフイルム用またはＩＰ用のカセッテと同じ外形サイズを有するケース２６と、ケース２６内に収容されたＦＰＤ２７と、制御回路２８と、通信回路２９とを備えている。ケース２６は、Ｘ線が透過可能な材質で形成されている。制御回路２８及び通信回路２９は、Ｘ線の影響を排除するため、例えば鉛等で覆われている。カセッテ型ＦＰＤには、前述した半切サイズの他、四切サイズ、六切サイズ等があり、撮影部位に応じて適宜選択される。
【００３５】
ＦＰＤ２７は、蛍光体層と検出素子層とを備えた間接変換型のＸ線検出器である。蛍光体層は、ＣｓＩ（沃化セシウム）などの蛍光体からなる層であり、入射したＸ線を可視光に変換する。検出素子層は、蛍光体層で生じた可視光を電荷に変換して蓄積するフォトダイオードと、フォトダイオードに蓄積された電荷の読み出し制御を行なうＴＦＴ（薄膜トランジスタ）スイッチとからなる画素が二次元マトリクス状に配列されたセンサマトリクスである。なお、ＦＰＤ２７は、アモルファスセレンなどからなる変換層でＸ線を直接電荷に変換する直接変換型のＸ線検出器であってもよい。
【００３６】
ＦＰＤ２７は、ケース２６の外形サイズよりも一回り小さな「長辺Ｌ×短辺Ｗ」の放射線検出範囲２７ａを有している。また、ケース２６内に制御回路２８及び通信回路２９の内蔵スペースを設けるため、放射線検出範囲２７ａの中心位置は、ケース２６の外形中心に対してずれている。
【００３７】
制御回路２８は、ＦＰＤ２７から読み出した画像信号をデジタル形式の画像データに変換する信号処理回路、画像データを記憶するメモリ等を備えている。通信回路２９は、例えば無線方式であり、図示しないカセッテ制御装置の通信回路との間で無線通信を行う。カセッテ制御装置によってなされた各種設定は、通信回路２９によって受信され、制御回路２８は受信した設定内容に基づいて撮影に関する設定、画像処理に関する設定等を行う。また、制御回路２８で生成された画像データは、通信回路２９がメモリから読み出してカセッテ制御装置に送信する。これにより、撮影後の放射線画像は、カセッテ制御装置、またはカセッテ制御装置にネットワーク接続された診察室のＰＣ等ですぐに観察することができる。
【００３８】
図３に示すように、位置表示装置３２は、第１発振器３３及び第２発振器３４と、カセッテ位置検出・表示シート３５とから構成されている。第１発振器３３及び第２発振器３４は、例えば直径が数ｃｍ程度の円板形状をしており、その内部には、それぞれ異なる周波数の電磁波を発振する発振回路が設けられている。図２に示すように、第１発振器３３及び第２発振器３４は、カセッテ１３の放射線検出面１３ａの上辺の角部に外形が接するように両面テープ等でそれぞれ貼付される。この貼付位置は、ＦＰＤ２７の放射線検出範囲外であるため、撮影に影響しない。
【００３９】
カセッテ位置検出・表示シート３５は、シート３８、長辺コイル３９及び短辺コイル４０、第１ＬＥＤ列４１及び第２ＬＥＤ列４２、制御部４３からなる。カセッテ位置検出・表示シート３５は、天板１６よりも一回り小さな長方形状をしており、図４に示すように、天板１６の上に載置して使用される。
【００４０】
シート３８は、例えば、透明な軟質樹脂で形成されている。長辺コイル３９及び短辺コイル４０は、シート３８の長辺方向及び短辺方向に沿って複数が配列され、シート３８内に埋め込まれている。長辺コイル３９及び短辺コイル４０は、ＦＰＤ２７に写らない太さのワイヤによって形成されている。このワイヤの太さは、例えば、ＦＰＤ２７の１画素大きさの１／１０以下であることが好ましい。
【００４１】
長辺コイル３９及び短辺コイル４０は、第１発振器３３及び第２発振器３４から発振された異なる周波数の電磁波によって、周波数が異なる起電力をそれぞれ発生する。各長辺コイル３９及び短辺コイル４０において発生する起電力は、第１発振器３３及び第２発振器３４に近いほど強くなる。したがって、最も起電力の強い長辺コイル３９及び短辺コイル４０を特定することにより、すなわち、起電力の強度分布に基づいて、第１発振器３３及び第２発振器３４の位置を検出することができる。
【００４２】
第１ＬＥＤ列４１及び第２ＬＥＤ列４２は、例えば赤色と緑色とに選択的に発光する複数個のＬＥＤ４５からなり、ＦＰＤ２７に写らないように、シート３８の上面の端縁に長辺方向及び短辺方向に沿って配列されている。長辺コイル３９と第１ＬＥＤ列４１、及び短辺コイル４０と第２ＬＥＤ列４２との配列数は、例えばそれぞれ同数となっており、長辺方向及び短辺方向の位置が対応するように設けられている。
【００４３】
図５に示すように、制御部４３は、制御ユニット４８、操作部４９、発振器位置検出回路５０、ドライバ回路５１、第１発光制御回路５２、第２発光制御回路５３を備えている。制御ユニット４８は、各回路を統轄的に制御する。操作部４９は、制御部４３の電源のオン・オフや、リセット等の各種操作に用いられる
【００４４】
発振器位置検出回路５０は、複数の長辺コイル３９で発生した周波数の異なる起電力の強度分布に基づいて、天板１６の長辺方向に対する第１発振器３３及び第２発振器３４の位置を検出する。同様に、発振器位置検出回路５０は、複数の短辺コイル４０で発生した周波数の異なる起電力の強度分布に基づいて、天板１６の短辺方向に対する第１発振器３３及び第２発振器３４の位置を検出する。これにより、発振器位置検出回路５０は、天板１６に対する第１発振器３３及び第２発振器３４のＸＹ座標を検出する。
【００４５】
また、発振器位置検出回路５０は、第１発振器３３及び第２発振器３４の検出位置に基づいて、カセッテ１３のサイズ、姿勢を特定する。カセッテ１３のサイズは、第１発振器３３と第２発振器３４との直線距離に基づいて特定される。図２に示すように、カセッテ１３は、そのサイズに応じてケース２６の短辺の長さが異なっているため、カセッテ１３の短辺の角部に貼付された第１発振器３３と第２発振器３４との直線距離Ｗ１もカセッテ１３のサイズに応じて変化する。したがって、第１発振器３３及び第２発振器３４の検出位置に基づいて両者の直線距離Ｗ１を算出することにより、カセッテ１３のサイズが特定可能である。
【００４６】
カセッテ１３の姿勢は、第１発振器３３と第２発振器３４との相対位置に基づいて特定される。図６に示すように、第１発振器３３と第２発振器３４のＹ方向の座標が同一であるときには、カセッテ１３が縦方向にトレーにセットされていると特定できる。また、図７に示すように、第１発振器３３と第２発振器３４のＸ方向の座標が同一であるときには、カセッテ１３が横方向にトレーにセットされていると特定できる。更に、図８に示すように、第１発振器３３と第２発振器３４のＸ方向及びＹ方向の座標のいずれもが同一でないときには、カセッテ１３が面内で回転されていると特定できる。また、第１発振器３３と第２発振器３４の相対位置から、カセッテ１３の回転方向も特定可能である。
【００４７】
発振器位置検出回路５０は、第１発振器３３と第２発振器３４の検出位置と、カセッテ１３のサイズ及び姿勢とに基づいて、天板１６に対するＦＰＤ２７の放射線検出範囲２７ａの位置を算出する。図２に示すように、カセッテ１３に貼付された第１発振器３３及び第２発振器３４は、その外形がカセッテ１３の上辺の角部に接しているため、第１発振器３３及び第２発振器３４と、ＦＰＤ２７の放射線検出範囲２７ａとの位置関係は一定である。したがって、天板１６に対する放射線検出範囲２７ａの位置は簡単、かつ正確に算出することができる。
【００４８】
図５に示すように、ドライバ回路５１は、ＬＥＤ４５を発光させる回路であり、各ＬＥＤ４５と同数が設けられ、それぞれ各ＬＥＤ４５に接続されている。第１発光制御回路５２及び第２発光制御回路５３は、第１ＬＥＤ列４１及び第２ＬＥＤ列４２に対応しており、それぞれ複数子のＬＥＤ４５を選択的に点灯、消灯、または点滅させ、あるいは発光色を変更する。
【００４９】
第１発光制御回路５２及び第２発光制御回路５３は、操作部４９によって制御部４３の電源がオンされたとき、またはリセット操作されたときに、第１ＬＥＤ列４１及び第２ＬＥＤ列４２の各ＬＥＤ４５を緑色に点灯させる。また、第１発光制御回路５２及び第２発光制御回路５３は、図６または図７に示すように、発振器位置検出回路５０の算出結果に基づいて、ＸＹ方向において放射線検出範囲２７ａに対面するＬＥＤ４５を赤色に点灯させる。これにより、天板１６上に放射線検出範囲２７ａの位置が表示される。
【００５０】
図８に示すように、カセッテ１３が天板１６の上に載置されて回転されているときには、第１発光制御回路５２及び第２発光制御回路５３は、放射線検出範囲２７ａの短辺に対面するＬＥＤ４５を赤色に点灯させ、放射線検出範囲２７ａの長辺に対面するＬＥＤ４５を赤色で点滅させる。これにより、カセッテ１３の回転状態も天板１６上に表示することができる。
【００５１】
発振器位置検出回路５０による第１発振器３３及び第２発振器３４の位置検出と、放射線検出範囲２７ａの位置算出は、繰り返し実施され、その都度、第１ＬＥＤ列４１及び第２ＬＥＤ列４２の発光状態が変化される。したがって、天板１６とカセッテ１３との相対位置の変化をリアルタイムに表示することができる。
【００５２】
次に、上記実施形態の作用について説明する。図２に示すように、カセッテ１３の放射線検出面１３ａの上辺の角部に第１発振器３３及び第２発振器３４を貼付する。図４に示すように、第１発振器３３及び第２発振器３４を貼付したカセッテ１３は、臥位撮影台１２の撮影部２１内のトレーに、例えば横向きでセットする。
【００５３】
図４に示すように、天板１６の上にカセッテ位置検出・表示シート３５を載置する。操作部４９により制御部４３の電源をオンすると、図５に示す第１発光制御回路５２及び第２発光制御回路５３は、第１ＬＥＤ列４１及び第２ＬＥＤ列４２の各ＬＥＤ４５を緑色に点灯させる。
【００５４】
長辺コイル３９及び短辺コイル４０は、第１発振器３３及び第２発振器３４の電磁波を受けて起電力を発生する。発振器位置検出回路５０は、長辺コイル３９及び短辺コイル４０に発生した起電力の強度分布に基づいて、天板１６に対する第１発振器３３及び第２発振器３４のＸＹ座標を検出する。また、発振器位置検出回路５０は、第１発振器３３及び第２発振器３４の検出座標に基づいてカセッテ１３のサイズ、姿勢を特定し、更に放射線検出範囲２７ａの位置を算出する。
【００５５】
図７に示すように、第１発光制御回路５２及び第２発光制御回路５３は、発振器位置検出回路５０の算出結果に基づいて、ＸＹ方向において放射線検出範囲２７ａに対面するＬＥＤ４５を赤色に点灯させる。
【００５６】
天板１６の上に載置されたカセッテ位置検出・表示シート３５の上に、被検者を横たわらせる。そして、臥位撮影台１２の操作パネル２３により天板１６またはカセッテ１３を移動させ、被検者の撮影部位に放射線検出範囲２７ａを対面させる。第１ＬＥＤ列４１及び第２ＬＥＤ列４２は、天板１６とカセッテ１３との相対位置の変化に応じて赤色に点灯するＬＥＤ４５の位置が変化する。
【００５７】
天板１６とカセッテ１３との相対位置が確定すると、放射線検出範囲２７ａに対面するＬＥＤ４５が赤色に点灯する。これにより、天板１６の上からカセッテ１３が見えなくても、被検者の撮影部位に放射線検出範囲２７ａを正確に位置合わせすることができる。また、放射線検出範囲２７ａに対する放射線発生器１１の位置合わせと、コリメータ１１ｂによるＸ線の曝射範囲の設定も容易になる。
【００５８】
［第２実施形態］
次に、臥位撮影台に位置表示装置を設けた本発明の第２実施形態について説明する。なお、第１実施形態と同じ部品については、同符号を用いて詳しい説明は省略する。
【００５９】
図９に示す放射線画像撮影システム６０は、放射線発生器１１と、臥位撮影台６１と、カセッテ１３とから構成されている。臥位撮影台６１は、第１実施形態の臥位撮影第１２に、位置表示装置を設けたものであり、天板１６と、天板１６の下に設けられた撮影台本体１７とからなる。撮影台本体１７は、天板支持部２０、撮影部２１、昇降部２２を備えている。天板１６の上面には、長辺方向及び短辺方向の短縁に沿って、複数のＬＥＤ４５を配列させた第１ＬＥＤ列４１及び第２ＬＥＤ列４２が設けられている。
【００６０】
図１０に示すように、臥位撮影台６１は、臥位撮影台１２と同様に、操作パネル２３、フローティング機構６４、スライド機構６５、昇降機構６６を備えており、これらを制御する制御ユニット６７を備えている。また、臥位撮影台６１は、位置表示装置として、天板位置検出器６９、カセッテ位置検出器７０、サイズ・姿勢検出器７１、検出範囲算出回路７２、第１ＬＥＤ列４１及び第２ＬＥＤ列４２、ドライバ回路５１、第１発光制御回路５２、第２発光制御回路５３を備えている。
【００６１】
天板位置検出器６９は、例えば天板１６のＸ方向及びＹ方向の移動量を検出する２つのポテンショメータと、これらのポテンショメータに天板１６のＸＹ方向の移動を伝達する伝達機構とからなる。各ポテンショメータの各回転位置には、天板１６の移動位置が関連づけられている。したがって、各ポテンショメータの出力値により、撮影台本体１７に対する天板１６の移動位置を検出することができる。カセッテ位置検出器７０も、天板位置検出器６９と同様に、ポテンショメータと、ポテンショメータにトレーの移動を伝達する伝達機構とからなり、撮影台本体１７に対するトレーの移動位置を検出することができる。
【００６２】
サイズ・姿勢検出器７１は、撮影部２１のトレー内に設けられている。図１１（Ａ）に示すように、トレー７５には、カセッテ１３の４辺に当接する板状のホルダ７６ａ〜７６ｄが設けられている。各ホルダ７６ａ〜７６ｄは、それぞれＸ方向またはＹ方向に移動可能であり、対面するホルダ７６ａ，７６ｃと７６ｂ，７６ｄ同士が図示しない連動機構によって連結されている。例えば、ホルダ７６ｃを反対側のホルダ７６ａに近づけると、ホルダ７６ａも連動機構によってホルダ７６ｃに接近し、ホルダ７６ｃを反対側のホルダ７６ａから離すと、ホルダ７６ａも連動機構によってホルダ７６ｃから離れていく。これにより、カセッテ１３の中心位置をトレー７５内で位置決めできるようになっている。
【００６３】
サイズ・姿勢検出器７１は、ホルダ７６ｂとホルダ７６ｃの移動経路に沿って設けられた複数個の検出スイッチ７８ａ〜７８ｃ、７９ａ〜７９ｃからなる。これらの検出スイッチは、例えばマイクロスイッチであり、カセッテ１３の各種サイズと姿勢に合わせて配置されており、カセッテ１３に合わせて移動したホルダ７６ａ，７６ｂに押されてオンする。したがって、オンした検出スイッチの組み合わせにより、カセッテ１３のサイズ及び姿勢を検出することができる。なお、図１１では、図面の煩雑化を避けるため、検出スイッチの個数を少なく描いている。
【００６４】
図１１（Ｂ）に示すように、半切サイズのカセッテ１３を縦方向にトレー７５にセットすると、検出スイッチ７８ａ，７８ｂ，７９ａがホルダ７６ａ，７６ｂに押されてオンする。図１１（Ｂ）に示すように、半切サイズのカセッテ１３を横方向にトレー７５にセットすると、検出スイッチ７８ａ，７９ａ，７９ｂがホルダ７６ａ，７６ｂに押されてオンする。また、六切サイズのカセッテを縦方向にトレー７５にセットすると、そのサイズ及び姿勢に応じた検出スイッチがオンする（図示せず）。
【００６５】
検出範囲算出回路７２は、天板位置検出器６９、カセッテ位置検出器７０及びサイズ・姿勢検出器７１の検出結果に基づいて、天板１６に対する放射線検出範囲２７ａの相対位置を算出する。トレーとカセッテの位置関係は一定であるため、天板１６に対する放射線検出範囲２７ａの位置は簡単、かつ正確に算出することができる。
【００６６】
第１発光制御回路５２及び第２発光制御回路５３は、第１実施形態と同じものであり、検出範囲算出回路７２の算出結果に基づいて、ＸＹ方向において放射線検出範囲２７ａに対面するＬＥＤ４５を赤色に点灯させる。これにより、第１実施形態と同様に、天板１６上に放射線検出範囲２７ａの位置が表示される。
【００６７】
第１実施形態では、第１ＬＥＤ列４１及び第２ＬＥＤ列４２と、長辺コイル３９及び短辺コイル４０とを同じシート３８に設けたが、別々に設けてもよい。また、カセッテ１３のサイズを第１発振器３３及び第２発振器３４の直線距離から特定したが、第１発振器３３及び第２発振器３４から発振される電磁波の周波数をサイズごとに変えてもよいし、操作部４９から入力させてもよい。また、制御部４３をカセッテ位置検出・表示シート３５に設けたが、例えばカセッテ１３に内蔵してもよい。また、本発明には、位置表示装置３２を、放射線発生器、放射線検出器、臥位撮影台とともに放射線画像撮影システムとして提供する場合も含まれる。
【００６８】
第２実施形態では、サイズ・姿勢検出器７１にメカニカルスイッチであるマイクロスイッチを用いたが、磁力センサ、光学センサ等の非接触センサを用いてもよい。また、ポテンショメータと、このポテンショメータにホルダの移動を伝達する伝達機構とを用いて、カセッテのサイズ及び姿勢を検出してもよい。また、本発明には、臥位撮影台６０を、放射線発生器、放射線検出器、臥位撮影台とともに放射線画像撮影システムとして提供する場合も含まれる。
【００６９】
第１、第２実施形態ともに、カセッテ制御装置に放射線検出範囲２７ａの検出位置を送信し、撮影メニューの選択等に利用してもよい。また、検出した放射線検出範囲の位置に基づいて、放射線発生器の放射線照射範囲を自動的に設定させてもよい。カセッテ型ＦＰＤを例に説明したが、本発明はフイルム用またはＩＰ用カセッテにも適用可能である。なお、カセッテ型ＦＰＤと、フイルム用またはＩＰ用カセッテとの放射線検出範囲が異なる場合には、放射線検出範囲の切り換え手段を設けることが好ましい。
【符号の説明】
【００７０】
１０、６０  放射線画像撮影システム
１１  放射線発生器
１２、６１  臥位撮影台
１３  カセッテ
１６  天板
２７  ＦＰＤ
２７ａ  放射線検出範囲
３２  位置表示装置
３３  第１発振器
３４  第２発振器
３５  カセッテ位置検出・表示シート
３９  長辺コイル
４０  短辺コイル
４１  第１ＬＥＤ列
４２  第２ＬＥＤ列
４５  ＬＥＤ
５０  発振器位置検出回路
５２  第１発光制御回路
５３  第２発光制御回路
６９  天板位置検出器
７０  カセッテ位置検出器
７１  サイズ・姿勢検出器
７２  検出範囲算出回路
【図１】
2011067335.tif 000003
【図２】
2011067335.tif 000004
【図３】
2011067335.tif 000005
【図４】
2011067335.tif 000006
【図５】
2011067335.tif 000007
【図６】
2011067335.tif 000008
【図７】
2011067335.tif 000009
【図８】
2011067335.tif 000010
【図９】
2011067335.tif 000011
【図１０】
2011067335.tif 000012
【図１１】
2011067335.tif 000013